(57)【特許請求の範囲】
【請求項１】
記録媒体を挿抜するためのスリット状の開口を有すると共に、その開口に挿入された記録媒体の画像データを読取る読取り駆動装置が備えられた画像データ用のプリント注文受付装置であって、
前記開口の端縁により形成される開口面が、上向きの傾斜姿勢となるように配置され、
前記読取り駆動装置の外形形状が扁平状の略直方体形状に形成され、
前記開口が前記読取り駆動装置の一側面に形成され、
前記読取り駆動装置が、前記開口の形成面が上向きとなるように傾斜姿勢で配置され、
ロール状の記録紙を保持するホルダ部と、前記ホルダ部から引き出された前記記録紙にプリントし且つ上下幅が前記ホルダ部よりも小さいプリンタユニットとが、前記ホルダ部が前記プリンタユニットよりも装置筐体の奥側に位置し且つ前記プリンタユニットが上下方向で前記ホルダ部の存在範囲内に位置する状態で、前記読取り駆動装置の上方に設けられている画像データ用のプリント注文受付装置。
【請求項２】
前記ホルダ部と前記読取り駆動装置との間の空間に前記プリンタユニットの駆動回路ユニットが設けられている請求項１記載の画像データ用のプリント注文受付装置。
【請求項３】
記録媒体を挿抜するためのスリット状の開口を有すると共に、その開口に挿入された記録媒体の画像データを読取る読取り駆動装置が備えられた画像データ用のプリント注文受付装置であって、
前記開口の端縁により形成される開口面が、上向きの傾斜姿勢となるように配置され、
前記読取り駆動装置の外形形状が扁平状の略直方体形状に形成され、
前記開口が前記読取り駆動装置の一側面に形成され、
前記読取り駆動装置が、前記開口の形成面が上向きとなるように傾斜姿勢で配置され、
記録媒体を載置するための出退式のトレイが備えられて、前記トレイの引退状態で前記記録媒体の画像データを読取るトレイ式読取り駆動装置が、前記トレイの出退方向が略水平となる姿勢で前記読取り駆動装置の側脇に設けられている画像データ用のプリント注文受付装置。
【請求項４】
前記記録媒体が、メモリーカードにて構成されている請求項１〜３のいずれか１項に記載の画像データ用のプリント注文受付装置。
【請求項５】
前記記録媒体から読取った画像を表示するためのモニタが、表示面が上向きに傾斜する姿勢で装置筐体上面側に設けられている請求項１〜４のいずれか１項に記載の画像データ用のプリント注文受付装置。
【発明の詳細な説明】
【０００１】
【発明の属する技術分野】
本発明は、記録媒体を挿抜するためのスリット状の開口を有すると共に、その開口に挿入された記録媒体の画像データを読取る読取り駆動装置が備えられた画像データ用のプリント注文受付装置に関する。
【０００２】
【従来の技術】
かかる画像データ用のプリント注文受付装置は、例えば写真プリント装置等の画像データを使用する機器へ、例えばメモリーカード等の記録媒体に記録された画像を入力するための装置であり、読取り駆動装置の開口に記録媒体を挿入し、その記録媒体に記録された画像データを読取ることで、例えば写真プリントの作製等に利用するものである。
このようなプリント注文受付装置は、従来、いわゆるパーソナルコンピュータのような小型汎用コンピュータによって構成される場合が多く、これに組み込まれる読取り駆動装置は、コンピュータの筐体に備えられる「３．５インチベイ」や「５インチベイ」と言われるような取付寸法が標準化された取付スペースに適合する矩形筐体を備える形態で製作される場合が多い。
従って、読取り駆動装置の筐体側壁に形成された記録媒体を挿抜するための開口は、読取り駆動装置をコンピュータに装着した状態では、前記開口の端縁により形成される仮想的な開口面が鉛直方向に沿う姿勢となる。
【０００３】
【発明が解決しようとする課題】
従って、記録媒体を読取り駆動装置の開口に挿入しようとしてその開口を上方から見下ろす姿勢をとった状態では、開口がスリット状であるために記録媒体の挿入位置が把握し辛く、実際に挿入するときは姿勢を低くして前記開口をのぞき込む体勢をとって挿入するのが一般的であり、上記従来構成では、記録媒体の挿抜操作が行い辛いという不都合があった。
本発明は、かかる実情に鑑みてなされたものであって、その目的は、画像データ用のプリント注文受付装置に対して記録媒体を挿入する操作を楽に行えるようにする点にある。
【０００４】
【課題を解決するための手段】
上記請求項１記載の構成を備えることにより、記録媒体を挿抜するためのスリット状の開口を有すると共に、その開口に挿入された記録媒体の画像データを読取る読取り駆動装置が備えられた画像データ用のプリント注文受付装置において、前記開口の端縁により形成される開口面が、上向きの傾斜姿勢となるように配置され、前記読取り駆動装置の外形形状が扁平状の略直方体形状に形成され、前記開口が前記読取り駆動装置の一側面に形成され、前記読取り駆動装置が、前記開口の形成面が上向きとなるように傾斜姿勢で配置され、ロール状の記録紙を保持するホルダ部と、前記ホルダ部から引き出された前記記録紙にプリントし且つ上下幅が前記ホルダ部よりも小さいプリンタユニットとが、前記ホルダ部が前記プリンタユニットよりも装置筐体の奥側に位置し且つ前記プリンタユニットが上下方向で前記ホルダ部の存在範囲内に位置する状態で、前記読取り駆動装置の上方に設けられている。
従って、前記プリント注文受付装置に搭載された読取り駆動装置を上方から見下ろしたとき、実効的に開口のスリット幅が広くなったのと同様の状態となって、記録媒体を挿抜するための開口を視認し易いものとなり、記録媒体の前記開口への挿入操作を楽に行うことができる。
更に、前記プリント注文受付装置に備える読取り駆動装置は扁平状の略直方体形状に標準化された筐体を有する形で提供される場合が多いが、この形状の読取り駆動装置を傾斜姿勢で配置することで、記録媒体を挿抜するための開口の端縁により形成される仮想的な開口面を上向きの傾斜姿勢とすることができる。
従って、標準化された形態を有して、入手の容易な読取り駆動装置をそのまま利用することで装置コストを抑制しながら、記録媒体の前記開口への挿入操作を楽に行える画像データ用のプリント注文受付装置を提供することができる。
更に、扁平状の略直方体形状の読取り駆動装置を傾斜姿勢で配置することで、読取り駆動装置の上方側には、奥側に進む程深くなる不均一な空間が形成されることになる。
一方、例えば、店舗の店頭に設置して顧客の持ち込んだ記録媒体の画像データを顧客自身の操作で読取入力させるというような形式の画像データ用のプリント注文受付装置では、読取られた画像データを特定するための情報等の種々の情報を印字等するためのプリント装置が必須となり、しかも、装置の小型化の要請から、外部接続のプリント装置を前記プリント注文受付装置の本体とは別に設置するのではなく、小型のプリント装置を前記プリント注文受付装置の筐体に内蔵させるのが望ましい。
このようなプリント装置の一般的な形式としては、実際に印字処理等を行うプリンタユニットとそのプリンタユニットに対して記録紙を供給するためにロール状の記録紙を保持するホルダ部とを備えるものがある。
このようにプリンタユニットとホルダ部とを主要部として構成されるプリント装置では、印字等の機能の本体部分であるプリンタユニットが極めて小型化されて、その上下幅がホルダ部の上下幅より小さく、プリンタユニットとホルダ部を装置筐体の奥行き方向に並べて配置すると、並び方向視でホルダ部がプリンタユニットの存在幅からはみ出る関係となり、奥側に位置するホルダ部の下面がプリンタユニットの下面よりも下方に位置する位置関係となる。
このような位置関係のプリンタユニット及びホルダ部を、単に、前記プリント注文受付装置の装置筐体内に配置したのでは、プリンタユニットの下方側にデッドスペースが発生する。
そこで、奥側に進む程深くなる読取り駆動装置の上方側の空間を利用して、プリンタユニット及びホルダ部を配置することで、画像データ用のプリント注文受付装置の装置筐体内の空間を効率良く利用して、画像データ用のプリント注文受付装置の小型化を図ることができる。
【０００９】
又、上記請求項２記載の構成を備えることにより、前記ホルダ部と前記読取り駆動装置との間の空間に前記プリンタユニットの駆動回路ユニットが設けられている。
すなわち、プリンタユニットの動作を制御する駆動回路ユニットは、ノイズ耐性等を考慮してプリンタユニットに近接して配置する必要がある。
一方、読取り駆動装置の傾斜角によっては、ホルダ部と読取り駆動装置との間に他物を配置可能な空間が形成される場合がある。
そこで、この空間に前記駆動回路ユニットを押し込んで配置することで、画像データ用のプリント注文受付装置のより一層の小型化を図ることができる。
【００１０】
又、上記請求項３記載の構成を備えることにより、記録媒体を挿抜するためのスリット状の開口を有すると共に、その開口に挿入された記録媒体の画像データを読取る読取り駆動装置が備えられた画像データ用のプリント注文受付装置において、前記開口の端縁により形成される開口面が、上向きの傾斜姿勢となるように配置され、前記読取り駆動装置の外形形状が扁平状の略直方体形状に形成され、前記開口が前記読取り駆動装置の一側面に形成され、前記読取り駆動装置が、前記開口の形成面が上向きとなるように傾斜姿勢で配置され、記録媒体を載置するための出退式のトレイが備えられて、前記トレイの引退状態で前記記録媒体の画像データを読取るトレイ式読取り駆動装置が、前記トレイの出退方向が略水平となる姿勢で前記読取り駆動装置の側脇に設けられている。
従って、前記プリント注文受付装置に搭載された読取り駆動装置を上方から見下ろしたとき、実効的に開口のスリット幅が広くなったのと同様の状態となって、記録媒体を挿抜するための開口を視認し易いものとなり、記録媒体の前記開口への挿入操作を楽に行うことができる。
更に、前記プリント注文受付装置に備える読取り駆動装置は扁平状の略直方体形状に標準化された筐体を有する形で提供される場合が多いが、この形状の読取り駆動装置を傾斜姿勢で配置することで、記録媒体を挿抜するための開口の端縁により形成される仮想的な開口面を上向きの傾斜姿勢とすることができる。
従って、標準化された形態を有して、入手の容易な読取り駆動装置をそのまま利用することで装置コストを抑制しながら、記録媒体の前記開口への挿入操作を楽に行える画像データ用のプリント注文受付装置を提供することができる。
更に、記録媒体の種類によっては、記録媒体を読取り駆動装置のトレイに載置してセットする形式のトレイ式読取り駆動装置も存在する。
トレイによって記録媒体をセットする形式では、読取り駆動装置の開口に記録媒体を挿抜する形式と異なり、上方から見下ろすときもトレイを視認し辛いようなことはなく、むしろトレイが水平方向に出退する方が取り扱いが容易である。
そこで、トレイ式読取り駆動装置は、トレイの出退方向が水平となるように配置して取り扱いの容易さを確保すると共に、傾斜姿勢の読取り駆動装置の側脇の空間を利用して配置することで、画像データ用のプリント注文受付装置の装置筐体内の空間を更に効率良く利用することができる。
【００１１】
又、上記請求項４記載の構成を備えることにより、前記記録媒体が、メモリーカードにて構成されている。
すなわち、メモリーカードは一般に半導体メモリを薄型のパッケージに封入して作製され、自ずとその取り扱いには神経を使うものである上、メモリカードを挿抜する前記開口も挿入幅が狭いものとなる。
そこで、上述のようにメモリーカードを挿抜する開口を視認し易くすることで、メモリーカード取り扱い時の不安感を軽減させることができる。
【００１２】
又、上記請求項５記載の構成を備えることにより、前記記録媒体から読取った画像を表示するためのモニタが、表示面が上向きに傾斜する姿勢で装置筐体上面側に設けられている。
すなわち、前記プリント注文受付装置は、記録媒体から読取った画像を表示するモニタをも一体化して装置全体としてコンパクトに構成するものであり、このときのモニタの設置箇所としては装置筐体の上面側に設定するのが最も合理的である。
このようにモニタを配置する場合において、装置を操作する者が自然な状態で装置を見下ろす姿勢がとれて装置を取り扱い易い高さに前記プリント注文受付装置を配置したときに、モニタを傾斜させることで、モニタの表示画像を見易くできると共に、その姿勢での読取り駆動装置の前記開口の被視認性を高くすることができ、画像データ用のプリント注文受付装置を一層取り扱い易いものにすることができる。
【００１３】
【発明の実施の形態】
以下、本発明の画像データ用のプリント注文受付装置を写真プリントシステムに備えた場合の実施の形態を図面に基づいて説明する。
本実施の形態の写真プリントシステムＤＰは、いわゆるデジタルミニラボ機として知られているものであり、図４において店舗に設置した状態の外観を示すように、メモリーカード，光磁気ディスク及びＣＤ−Ｒ等から写真プリントを作製するための画像データを入力する画像データ用のプリント注文受付装置ＩＲ（以下、「プリント注文受付装置ＩＲ」と略称する）と、現像処理済みの写真フィルム１（以下、「フィルム１」と略称する）の画像データを読取り入力するフィルム画像入力装置ＦＳと、プリント注文受付装置ＩＲやフィルム画像入力装置ＦＳから入力した画像データを印画紙２に露光処理する露光・現像装置ＥＰとから構成され、これら各装置の制御部がネットワーク接続されている。
尚、図４では、プリント注文受付装置ＩＲを２台備えて、顧客自身が操作できるようにカウンタ１００上に設置した場合を例示している。又、フィルム画像入力装置ＦＳは、フィルム１の画像データの読取り機能の他に、プリント注文受付装置ＩＲと同様の機能を備えており、メモリーカード等に記録された画像データを、顧客ではなく写真プリントシステムＤＰの操作者の操作によって読取ることができる。
【００１４】
〔プリント注文受付装置ＩＲの概略構成〕
プリント注文受付装置ＩＲは、図３の外観斜視図、図３におけるＡ−Ａ’矢視で内部を示す図２、及び、図３におけるＢ−Ｂ’矢視で内部を示す図１に示すように、記録媒体としてのＣＤ−Ｒ，ＣＤ−ＲＯＭに記録された画像データを読取るＣＤ−ＲＯＭドライブ３０と、記録媒体としての光磁気ディスクに記録された画像データを読取るＭＯドライブ３１と、記録媒体としての大，中，小の３種類の形状のメモリーカードに記録された画像データを読取るメモリーカードリーダ３２とが備えられている。
【００１５】
プリント注文受付装置ＩＲには、更に、ＣＤ−ＲＯＭドライブ３０，ＭＯドライブ３１及びメモリーカードリーダ３２から入力された画像データを一時的に記憶する磁気ディスク装置３３と、液晶表示式のモニタ３４と、プリント装置３５と、図示を省略するが、ＣＤ−ＲＯＭドライブ３０等にて読取った画像データをモニタ３４に表示させると共に、その画像データをフィルム画像入力装置ＦＳの主制御装置６へ送る制御装置等が備えられている。尚、プリント装置３５は、ロール状の記録紙３７を保持するホルダ部３５ａと、ホルダ部３５ａから引き出された記録紙３７にプリントするプリンタユニット３５ｂと、プリンタユニット３５ｂを制御する駆動回路ユニット３５ｃとが別体で構成された機器組み込み型の小型プリント装置である。
【００１６】
ＣＤ−ＲＯＭドライブ３０は一般的に５インチベイと称されるコンピュータの取付スペースに適合した筐体寸法で製作されており、ＭＯドライブ３１及びメモリーカードリーダ３２は一般的に３．５インチベイと称されるコンピュータの取付スペースに適合した筐体寸法で製作され、何れも全体的には外形形状が扁平状の略直方体形状となっている。
ＭＯドライブ３１及びメモリーカードリーダ３２は、それらの筐体の一側面に記録媒体を挿抜するためのスリット状の開口ＩＯが形成され、その開口ＩＯが存在する面を、プリント注文受付装置ＩＲの装置筐体の正面側のパネル３６から露出させている。スリット状の開口ＩＯの奥側箇所には、ＭＯドライブ３１については光磁気ディスクのデータを読取るためのピックアップユニットが備えられ、メモリーカードリーダ３２についてはメモリーカードと電気的に接続する端子が備えられて、開口ＩＯに挿入された記録媒体の画像データを読取る。
又、ＣＤ−ＲＯＭドライブ３０は、トレイ３０ａが備えられた側面をパネル３６から露出させている。
【００１７】
記録媒体を前記開口ＩＯに対して挿抜する形式の読取り駆動装置ＲＤであるＭＯドライブ３１及びメモリーカードリーダ３２は、図１に示すように、それらの筐体が、前記開口ＩＯの形成面が上向きとなる傾斜姿勢で配置してある。前記開口ＩＯの端縁により形成される仮想的な開口面は前記開口ＩＯが存在する筐体の一側面（正面）と一致するので、前記仮想的な開口面は上向きの傾斜姿勢となっている。この仮想的な開口面の傾斜角は、鉛直方向から略１０度傾けてあり、又、パネル３６も鉛直方向から略１０度傾けてあるので、パネル３６の表面と、前記開口ＩＯが存在するＭＯドライブ３１及びメモリーカードリーダ３２の正面とが面一となっている。
このように、前記仮想的な開口面を上向きに傾斜させることで、上方から前記開口ＩＯを見下ろしたときに容易に前記開口ＩＯを視認することができ、記録媒体の挿入操作を行い易いものとしている。この効果は、もともと相対的にスリット幅が広く視認し易いＭＯドライブ３１に比べて、開口ＩＯのスリット幅が狭いメモリーカードリーダ３２で特に顕著である。
【００１８】
一方、記録媒体を載置する出退式のトレイ３０ａによって記録媒体をセットし、そのトレイ３０ａの引退状態で、トレイ３０ａ上の記録媒体の画像データを読取る形式のトレイ式読取り駆動装置ＴＤであるＣＤ−ＲＯＭドライブ３０は、図２に示すように、トレイ３０ａの出退方向が略水平となるように、ＣＤ−ＲＯＭドライブ３０の筐体を水平姿勢で配置している。
このように配置することで、ＣＤ−ＲＯＭやＣＤ−Ｒの記録媒体をトレイ３０ａにセットする操作を行い易いものとしている。
【００１９】
前記プリント装置３５は、ＭＯドライブ３１及びメモリーカードリーダ３２を傾斜姿勢とすることで、メモリーカードリーダ３２の上方側に形成される空間に配置されている。
図１に示すように、ホルダ部３５ａはプリンタユニット３５ｂの奥側に配置され、且つ、プリンタユニット３５ｂの上下幅がホルダ部３５ａの上下幅より小さく、ホルダ部３５ａの上方側の略半分が装置筐体から上方側の突出する程にホルダ部３５ａを上方寄りに配置しても、プリンタユニット３５ｂが上下方向でホルダ部３５ａの存在範囲内に位置して、ホルダ部３５ａの下端がプリンタユニット３５ｂの下端より下方に位置する位置関係となる。これに対して、メモリーカードリーダ３２の上方側の空間も奥側に進む程に深くなるので、上記のような配置となるプリンタユニット３５ｂ及びホルダ部３５ａを配置するのに合理的な関係となっている。又、ＭＯドライブ３１及びメモリーカードリーダ３２の正面の傾斜角を略１０度に設定する状態では、ホルダ部３５ａとメモリーカードリーダ３２との間に未だ若干の余裕があり、ここに、プリンタユニット３５ｂの近くに配置する必要のある駆動回路ユニット３５ｃをもぐり込ませて配置している。
尚、ホルダ部３５ａをプリント注文受付装置ＩＲの装置筐体の上端に配置することでロール状の記録紙３７の交換作業を容易に行えるようになっている。
【００２０】
このように、プリント装置３５と、ＭＯドライブ３１及びメモリーカードリーダ３２とを上下に並べて配置することで、これらの側脇には比較的大きな空間が存在することになり、ここに比較的大型のＣＤ−ＲＯＭドライブ３０を配置することで、傾斜姿勢とするメモリーカードリーダ３２の上方側の空間にプリント装置３５を配置することとの協働で、プリント注文受付装置ＩＲの筐体内の空間を有効利用して、プリント注文受付装置ＩＲの小型化を図ることができる。
【００２１】
前記モニタ３４は、図３等に示すように、プリント注文受付装置ＩＲの筐体上面側に表示面が上向きに傾斜する姿勢で取り付けられている。
このモニタ３４の傾斜角は、プリント注文受付装置ＩＲを、図４に例示するような、カウンタ１００上に設置するのと同程度の高さで設置した場合において、装置の使用者（本実施の形態では顧客を想定）がプリント注文受付装置ＩＲを自然な姿勢で見下ろしたときに、モニタ３４の表示画像を見やすい傾斜角に設定されている。
モニタ３４には、図６に例示するように、記録媒体の画像データを読み取ったときにその画像データを表示する。
図６では、６個の画像表示欄４０を備える場合を例示しており、各画像表示欄４０毎に、プリント枚数の入力するためのプリント枚数入力欄４１と、プリントサイズを入力するためのプリントサイズ入力欄４２とが設けられている。
プリント注文受付装置ＩＲの使用者は、図示を省略する操作卓から各入力欄４１，４２へ所望のデータを指示入力することができる。
【００２２】
〔フィルム画像入力装置ＦＳの概略構成〕
フィルム画像入力装置ＦＳには、図５のブロック図に概略的に示すように、フィルム１の駒画像を読み取るフィルムスキャナ３と、メモリーリーダ，ＭＯドライブ及びＣＤ−Ｒドライブ等を備えた外部入出力装置４と、汎用小型コンピュータシステムにて構成されてフィルムスキャナ３や外部入出力装置４の制御のほか写真プリントシステムＤＰ全体の管理を実行する主制御装置６とが備えられ、更に、主制御装置６には、仕上がりプリント画像をシミュレートしたシミュレート画像や各種の制御用の情報を表示するモニタ６ａと、露光条件の手動設定等や制御情報の入力操作をするための操作卓６ｂとが接続されている。
【００２３】
フィルムスキャナ３は、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７と、フィルムスキャナ３全体の制御を行う読取制御装置１８とが設けられている。
【００２４】
ＣＣＤラインセンサユニット１４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
読取制御装置１８は、主制御装置６からの読取指令に基づいて、フィルムマスクユニット１３にセットされたフィルム１の搬送移動を開始させると共に、処理回路１７から出力されるそのフィルム１の駒画像の画像データを主制御装置６へ出力する。
主制御装置６には、図示を省略するが、フィルムスキャナ３から入力されたフィルム１の駒画像の画像データ、外部入出力装置４から入力された画像データ、更に、プリント注文受付装置ＩＲから入力された画像データを写真プリントの作製に適した画像に画像処理する画像処理装置が備えられている。
【００２５】
〔露光・現像装置ＥＰの概略構成〕
露光・現像装置ＥＰは、筐体内部に、ＰＬＺＴプリントヘッド２０ａを備えた露光ユニット２０と、露光ユニット２０を制御する露光制御装置２１と、露光ユニット２０にて露光された印画紙２を現像処理する現像処理部２２と、現像処理部２２内の印画紙搬送系の制御や現像処理液の管理を行う現像制御装置２３と、露光・現像装置ＥＰ全体を制御するプリンタ制御装置２４と、筐体上面に配置された印画紙マガジン８から引き出された印画紙２を多数の搬送ローラ２５等にて現像処理部２２へ搬送する印画紙搬送系ＰＴとが設けられている。
【００２６】
露光・現像装置ＥＰの筐体外部には、図４に示すように、現像処理部２２にて現像処理及び乾燥処理された印画紙２をオーダ毎に分類するためのソータ２６と、排出口２２ａから排出された印画紙２をソータ２６へ搬送するコンベア２７とが設けられている。
更に、印画紙搬送系ＰＴの搬送経路の途中には、印画紙マガジン８から引き出された長尺の印画紙２を設定プリントサイズに切断するカッタ２８が備えられている。
【００２７】
〔写真プリントの作製動作〕
次に、上記構成の写真プリントシステムＤＰによる写真プリントの作製動作を概略的に説明する。
顧客がカウンタ１００上のプリント注文受付装置ＩＲを操作して、顧客の持参した画像データが記録されているメモリカード，光磁気ディスクあるいはＣＤ−Ｒの記録媒体をセットすると、記録されている画像データの読取りが開始され、磁気ディスク装置３３に記録されると共に、モニタ３４に読取られた画像が表示される。
顧客が、その画像データのモニタ表示を確認してプリントサイズやプリント枚数の入力を完了すると、プリント枚数やオーダーを特定するための情報等がプリント装置３５にて印字されると共に、読取られた画像データは主制御装置６へ送られる。顧客は、プリント装置３５の印字出力を店員に提示し、必要な料金を支払う。
【００２８】
一方、フィルム１の駒画像のプリントを作成するときは、写真プリントシステムＤＰの操作者がフィルム１をフィルムマスクユニット１３にセットして、それの駒画像の読取りを指示入力すると、主制御装置６は、フィルムスキャナ３に対してフィルム１の読み取りを指令し、読取制御装置１８からそのフィルム１の画像データを順次受取る。
更に、操作者の操作によってメモリーカード，光磁気ディスクあるいはＣＤ−Ｒ等の記録媒体に記録された画像データを読取るときは、操作者がフィルム画像入力装置ＦＳの外部入出力装置４にそれらの記録媒体をセットし、主制御装置６に読取りを指示入力すると、主制御装置６は、外部入出力装置４の該当するドライブに画像データの読み取りを指令し、そのドライブから画像データを順次受取る。
【００２９】
主制御装置６は、上記のようにして入力された画像データに基づいて、その画像データによってプリントを作製した場合に得られるであろうシミュレート画像を図示を省略する画像処理回路にて演算して求め、それをモニタ６ａに表示する。
操作者は、このモニタ６ａ上のシミュレート画像を観察して、適正な画像が得られていなければ、操作卓６ｂから露光条件の修正入力操作を行う。
主制御装置６の画像処理回路は、入力された画像データとその修正入力とに従って予め設定された演算条件で赤色、緑色、青色毎の露光用画像データを生成する。
【００３０】
この露光用画像データは、露光・現像装置ＥＰのプリンタ制御装置２４に送られ、プリンタ制御装置２４に備えられているメモリに記憶される。
プリンタ制御装置２４は、印画紙搬送系ＰＴから得られる印画紙２の搬送情報に基づいて、印画紙２の前端が所定の露光開始位置まで搬送されて来たことを検知すると、露光制御装置２１に対して露光作動の開始を指令すると共に、露光ユニット２０の露光処理スピードに対応した速度で露光用画像データを露光制御装置２１へ順次送信する。
露光制御装置２１は、受け取った露光用画像データに基づいてＰＬＺＴプリントヘッド２０ａの各光シャッタを作動させて印画紙２にプリント画像の潜像を形成する。
露光ユニット２０にて露光処理された印画紙２は、印画紙搬送系ＰＴにて現像処理部２２へ搬送されて、各現像処理タンクを順次通過することにより現像され、現像処理された印画紙２は、更に乾燥処理された後に排出口２２ａからコンベア２７上に排出され、ソータ２６にてオーダー毎にまとめられる。
【００３１】
〔別実施形態〕
以下、本発明の別実施形態を列記する。
（１）上記実施の形態では、記録媒体の読取り駆動装置ＲＤであるＭＯドライブ３１及びメモリーカードリーダ３２は、３．５インチベイ装着用の標準的寸法の筐体を有し、その筐体を傾斜姿勢で配置することによって、記録媒体を挿抜する開口ＩＯの端縁にて形成される仮想的な開口面を傾斜させているが、読取り駆動装置ＲＤ自体は水平姿勢に配置し、前記開口ＩＯが形成されている一側面を上向きに傾斜させると共に、前記仮想的な開口面をその傾斜に沿わせる形状としても良い。
（２）上記実施の形態では、画像データ用のプリント注文受付装置ＩＲを写真プリントシステムＤＰの一部として備える場合を例示しているが、画像データを利用する種々のシステムに本発明の画像データ用のプリント注文受付装置ＩＲを利用できる。
【００３２】
（３）上記実施の形態では、プリント装置３５は、ホルダ部３５ａとプリンタユニット３５ｂと駆動回路ユニット３５ｃとが別体となっている場合を例示しているが、これらが一体に構成されているプリント装置にも本発明を適用できる。
（４）上記実施の形態では、画像データ用のプリント注文受付装置ＩＲの筐体正面側のパネル３６を傾斜させている場合を例示しているが、正面のパネル３６は必ずしも傾斜させる必要はなく、鉛直方向に沿う姿勢に形成しても良い。
（５）上記実施の形態では、記録媒体を挿抜する開口ＩＯの端縁により形成される仮想的な開口面を鉛直方向から１０度傾斜させる場合を例示しているが、読取り駆動装置ＲＤの動作に支障が無ければ更に傾斜させても良いし、逆に、１０度よりも小さい角度に設定しても良い。
【００３３】
【発明の効果】
上記請求項１記載の構成によれば、画像データ用のプリント注文受付装置に搭載された読取り駆動装置を上方から見下ろしたとき、実効的に開口のスリット幅が広くなったのと同様の状態となって、記録媒体を挿抜するための開口を視認し易いものとなり、記録媒体の前記開口への挿入操作を楽に行うことができる。
更に、標準化された形態を有して、入手の容易な読取り駆動装置をそのまま利用して、記録媒体の前記開口への挿入操作を楽に行える画像データ用のプリント注文受付装置を提供することができる。
更に、奥側に進む程深くなる読取り駆動装置の上方側の空間を利用して、手前側にプリンタユニット及び奥側に上下幅の大きいホルダ部を配置することで、画像データ用のプリント注文受付装置の装置筐体内の空間を効率良く利用して、画像データ用のプリント注文受付装置の小型化を図ることができる。
【００３４】
又、上記請求項２記載の構成によれば、ホルダ部と読取り駆動装置との間の空間に前記駆動回路ユニットを押し込んで配置することで、画像データ用のプリント注文受付装置のより一層の小型化を図ることができる。
又、上記請求項３記載の構成によれば、画像データ用のプリント注文受付装置に搭載された読取り駆動装置を上方から見下ろしたとき、実効的に開口のスリット幅が広くなったのと同様の状態となって、記録媒体を挿抜するための開口を視認し易いものとなり、記録媒体の前記開口への挿入操作を楽に行うことができる。
更に、標準化された形態を有して、入手の容易な読取り駆動装置をそのまま利用して、記録媒体の前記開口への挿入操作を楽に行える画像データ用のプリント注文受付装置を提供することができる。
更に、トレイ式読取り駆動装置は、トレイの出退方向が水平となるように配置して取り扱いの容易さを確保すると共に、傾斜姿勢の読取り駆動装置の側脇の空間を利用して配置することで、画像データ用のプリント注文受付装置の装置筐体内の空間を更に効率良く利用することができる。
【００３５】
又、上記請求項４記載の構成によれば、メモリーカードは一般に半導体メモリを薄型のパッケージに封入して作製され、自ずとその取り扱いには神経を使うものである上、メモリカードを挿抜する前記開口も挿入幅が狭いものとなるが、上述のようにメモリーカードを挿抜する開口を視認し易くすることで、メモリーカード取り扱い時の不安感を軽減させることができる。
又、上記請求項５記載の構成によれば、前記プリント注文受付装置を操作する者が自然な状態で装置を見下ろす姿勢をとれて装置を取り扱い易い高さに画像データ用のプリント注文受付装置を配置したときに、モニタを傾斜させることで、モニタの表示画像を見易くできると共に、その姿勢での読取り駆動装置の前記開口の被視認性を高くすることができ、画像データ用のプリント注文受付装置を一層取り扱い易いものにすることができる。
【図面の簡単な説明】
【図１】本発明の実施の形態にかかる画像データ用のプリント注文受付装置の内部配置図
【図２】本発明の実施の形態にかかる画像データ用のプリント注文受付装置の内部配置図
【図３】本発明の実施の形態にかかる画像データ用のプリント注文受付装置の外観斜視図
【図４】本発明の実施の形態にかかる写真プリントシステムの外観斜視図
【図５】本発明の実施の形態にかかる写真プリントシステムのブロック構成図
【図６】本発明の実施の形態にかかる画像データ用のプリント注文受付装置のモニタ表示例
【符号の説明】
ＩＯ    開口
ＲＤ    読取り駆動装置
ＴＤ    トレイ式読取り駆動装置
３０ａ  トレイ
３４    モニタ
３５ａ  ホルダ部
３５ｂ  プリンタユニット
３５ｃ  駆動回路ユニット
【図１】
0003622712.tif 000002
【図２】
0003622712.tif 000003
【図３】
0003622712.tif 000004
【図４】
0003622712.tif 000005
【図５】
0003622712.tif 000006
【図６】
0003622712.tif 000007